(57)【特許請求の範囲】
【請求項１】
長手方向に長く、短手方向に短い辺を持つ、原稿を載置する原稿台と、
前記原稿台に載置された原稿を読み取る読取手段が設けられる筐体と、
前記筐体に取り付けられて前記原稿台の長手方向に沿うフレームと、
前記筐体と前記フレームを取り付ける係合手段と、
を備え、
前記係合手段は、
前記筐体又は前記フレームの一方に設けられた第１係合部と、
前記筐体又は前記フレームの他方に設けられ、前記第１係合部と係合及び係合解除可能な第２係合部と、
を有し、
前記第１係合部は前記第２係合部と係合する窓穴を有する枠体であり、
前記第２係合部は、前記筐体又は前記フレームの側面から前記原稿台の短手方向に沿って突出しており、
前記筐体に対し前記フレームが前記原稿台の下向き方向に沿って取り付けられる方向において、手前よりも奥が高く形成され、前記第１係合部との係合を許容する第１傾斜部と、
前記第１係合部に対して前記第２係合部が沿うことで係合解除される方向において、手前よりも奥が高く形成され、前記第１係合部と前記第２係合部との係合解除を許容する第２傾斜部と、
前記第１係合部と前記第２係合部とが係合した状態から、前記筐体に対し前記フレームが前記原稿台の上向き方向に沿って取り外されることを防止する面と、を有する、
ことを特徴とする画像読取装置。
【請求項２】
請求項１に記載の画像読取装置において、
前記第１係合部に対して前記第２係合部が沿うことで係合解除される方向とは前記原稿台の長手方向である、ことを特徴とする画像読取装置。
【請求項３】
請求項２に記載の画像読取装置において、
前記第２係合部は前記第１係合部と前記第２係合部とが係合した状態から、前記筐体に対し前記フレームが前記原稿台の上向き方向に沿って取り外されることを防止する面と、を有する、
ことを特徴とする画像読取装置。
【請求項４】
請求項１から請求項３のいずれか一項に記載の画像読取装置において、前記係合手段は、前記原稿台の長手方向に沿って間隔を置いて複数設けられている、
ことを特徴とする画像読取装置。
【請求項５】
請求項１から請求項４のいずれか一項に記載の画像読取装置において、前記長手方向に沿うフレームは前記原稿台に対し前記読取手段の移動方向と交差する方向の両側に位置する、第１フレーム及び第２フレームを備え、
前記第１フレーム及び前記第２フレームは、前記原稿台と一体となって前記原稿台の短手方向に変位する、
ことを特徴とする画像読取装置。
【請求項６】
請求項１から請求項５のいずれか一項に記載の画像読取装置において、
前記画像読取装置は前記原稿台の短手方向に沿うフレームを有し、
前記短手方向に沿うフレームを取り外すことで、前記長手方向に沿うフレームが前記原稿台の長手方向に沿って変位可能となる、
ことを特徴とする画像読取装置。
【発明の詳細な説明】
【技術分野】
【０００１】
本発明は、スキャナーに代表される画像読取装置に関する。
【背景技術】
【０００２】
画像読取装置としてのスキャナー、その中でも特に原稿台ガラスの下を読取センサーが移動しながら画像の読取を行う所謂フラットベッド型のスキャナーには、特許文献１に示されるように原稿台ガラスの周囲が枠部材（フレーム）で構成され、この枠部材が原稿台ガラスとともに下側のハウジング部材（筐体）に固定されたものがある。
【先行技術文献】
【特許文献】
【０００３】
【特許文献１】特開２０１２−１９９８７３号公報
【発明の概要】
【発明が解決しようとする課題】
【０００４】
上述した原稿台ガラスの周囲を構成する枠部材（フレーム）は通常、ねじ固定、フック固定などの固定手段によって下側のハウジング部材（筐体）に固定される。しかしながら装置の組立後にメンテナンスや調整の必要が生じた場合、フック固定にあっては嵌合を解除するのが困難であり、無理に嵌合を解除させようとすると破損させてしまう虞がある。また、嵌合を解除させる為にピンやドライバー等を差し込む穴を設けると、装置内に塵埃等が侵入し、特にスキャナーにおいては好ましくない。また、ねじ固定にあってはねじの取り外しが手間であるとともに、ねじ穴を設けるためのスペースが必要となり、装置の小型化の要請に反する。
【０００５】
そこで本発明はこの様な状況に鑑みなされたものであり、その目的は、画像読取装置において組み立て後の分解性向上と装置の大型化抑制との両立を図ることにある。
【課題を解決するための手段】
【０００６】
上記課題を解決する為に、本発明の第1の態様に係る画像読取装置は、原稿を載置する原稿台と、前記原稿台に載置された原稿を読み取る読取手段が設けられる筐体と、前記筐体に取り付けられて前記原稿台の周囲を形成する少なくとも一つのフレームと、を備え、前記筐体と前記フレームとが係合する係合手段は、前記筐体及び前記フレームの一方側に設けられた第１係合部と他方側に設けられた第２係合部とを備えて構成され、前記第１係合部は、前記筐体に対し前記フレームが鉛直下向きの成分を含む第１方向に沿って取り付けられる際に前記第２係合部との係合を許容する第１傾斜部と、前記第１係合部と前記第２係合部とが係合した状態から、前記筐体に対し前記フレームが前記第１方向と交差する第２方向に沿って変位する際に前記第２係合部の係合解除を許容する第２傾斜部と、を備えることを特徴とする。
【０００７】
本態様によれば、前記フレームと前記筐体との係合手段は、第1係合部と第２係合部とを備えて構成され、前記第１係合部は、前記筐体に対し前記フレームが鉛直下向きの成分を含む第１方向に沿って取り付けられる際に前記第２係合部との係合を許容する第１傾斜部を備えるので、前記筐体に対し前記フレームを作業性容易に取り付けることができる。
【０００８】
そして前記第１係合部と前記第２係合部とが係合した状態から、前記筐体に対し前記フレームが前記第１方向と交差する第２方向に沿って変位する際に前記第２係合部の係合解除を許容する第２傾斜部を前記第1係合部が備えるので、前記フレームを前記第２方向に沿って変位させることで、前記筐体から前記フレームを容易に取り外すことができる。そしてこの様な機能を実現するに際し、ねじ穴等を設ける必要がなく、装置の大型化を抑制できる。
【０００９】
本発明の第２の態様に係る画像読取装置は、原稿を載置する原稿台と、前記原稿台に載置された原稿を読み取る読取手段が設けられる筐体と、前記筐体に取り付けられて前記原稿台の周囲を形成する少なくとも一つのフレームと、を備え、前記筐体と前記フレームとが係合する係合手段は、前記筐体及び前記フレームの一方側に設けられた第１係合部と他方側に設けられた第２係合部とを備えて構成され、前記筐体に対し前記フレームが鉛直下向きの成分を含む第１方向に沿って取り付けられる際に前記第1係合部と前記第２係合部とが係合し、前記第１係合部と前記第２係合部とが係合した状態から、前記筐体に対し前記フレームが前記第１方向と交差する第２方向に沿って変位する際に前記第1係合部と前記第２係合部との係合が解除されることを特徴とする。
【００１０】
本態様によれば、前記フレームと前記筐体との係合手段は、第1係合部と第２係合部とを備えて構成され、前記筐体に対し前記フレームが鉛直下向きの成分を含む第１方向に沿って取り付けられる際に前記第1係合部と前記第２係合部とが係合するので、前記筐体に対し前記フレームを作業性容易に取り付けることができる。
【００１１】
そして前記第１係合部と前記第２係合部とが係合した状態から、前記筐体に対し前記フレームが前記第１方向と交差する第２方向に沿って変位する際に前記第1係合部と前記第２係合部との係合が解除されるので、前記フレームを前記第２方向に沿って変位させることで、前記筐体から前記フレームを容易に取り外すことができる。そしてこの様な機能を実現するに際し、ねじ穴等を設ける必要がなく、装置の大型化を抑制できる。
【００１２】
本発明の第３の態様は、第1のまたは第２の態様において、前記係合手段は、前記第２方向に沿って適宜の間隔を置いて複数設けられていることを特徴とする。  
本態様によれば、前記係合手段は、前記第２方向に沿って適宜の間隔を置いて複数設けられているので、前記筐体に対し前記フレームをより強固に取り付けることができる。
【００１３】
本発明の第４の態様は、第1から第３の態様のいずれかにおいて、前記原稿台に対し前記読取手段の移動方向と交差する方向の両側に位置する、前記フレームとしての第１フレーム及び第２フレームを備え、前記第１フレーム及び前記第２フレームは、前記原稿台と一体となって前記第２方向に変位することを特徴とする。
【００１４】
本態様によれば、前記フレームとしての前記第１フレーム及び前記第２フレームは、前記原稿台と一体となって前記第２方向に変位するので、画像読取装置をより作業性容易に分解することができる。
【００１５】
本発明の第５の態様は、第４の態様において、前記読取手段の移動方向の両側に位置する、第３フレーム及び第４フレームを備え、前記第３フレーム及び前記第４フレームの少なくともいずれかを取り外すことで、前記第１フレーム、前記第２フレーム、前記原稿台、のこれらが一体的に前記第２方向に変位可能となることを特徴とする。
【００１６】
本態様によれば、前記第３フレーム及び前記第４フレームの少なくともいずれかを取り外すことで、前記第１フレーム、前記第２フレーム、前記原稿台、のこれらが一体的に前記第２方向に変位可能となるので、換言すれば前記第３フレーム或いは前記第４フレームによって、前記第１フレーム、前記第２フレーム、前記原稿台、のこれら複数の構成要素が筐体に対して固定された状態を確実に保持できる。
【００１７】
本発明の第６の態様は、第1の態様において、前記第1係合部は、前記第1傾斜部と前記第２傾斜部とが形成された突部であり、前記第２係合部は、前記突部が嵌合する窓穴を有する枠体であることを特徴とする。  
本態様によれば、前記第１係合部と前記第２係合部とを構造簡単にして低コストに構成できる。
【図面の簡単な説明】
【００１８】
【図１】本発明に係るスキャナーの外観斜視図。
【図２】本発明に係るスキャナーの分解斜視図。
【図３】本発明に係るスキャナーの一部分解斜視図。
【図４】本発明に係るスキャナーの一部分解斜視図。
【図５】原稿台ガラス、左右アッパーフレーム、のこれらの斜視図。
【図６】第1係合部と第２係合部（非係合状態）の斜視図。
【図７】第１係合部の斜視図。
【図８】第1係合部と第２係合部（係合状態）の斜視図。
【図９】第１係合部と第２係合部（係合状態）の断面図。
【図１０】第１係合部と第２係合部（係合状態）の断面図。
【図１１】第１係合部と第２係合部（非係合状態）の断面図。
【図１２】（Ａ）、（Ｂ）は他の実施形態に係る第１係合部と第２係合部の正面図。
【発明を実施するための形態】
【００１９】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２０】
図１は本発明に係る画像読取装置の一例としてのスキャナー１の外観斜視図、図２はスキャナー１の分解斜視図、図３及び図４はスキャナー１の一部分解斜視図、図５は原稿台ガラス１２、左アッパーフレーム８、右アッパーフレーム７、のこれらの斜視図、図６は第1係合部としてのフック６と第２係合部としての枠体８ａ（非係合状態）の斜視図、図７はフック６の斜視図、図８はフック６と枠体８ａ（係合状態）の斜視図、図９及び図１０はフック６と枠体８ａの断面図（係合状態）、図１１はフック６と枠体８ａの断面図（非係合状態）、図１２（Ａ）、（Ｂ）は他の実施形態に係る第１係合部（フック１６）と第２係合部（枠体１８ａ）の正面図である。
【００２１】
尚、各図に示すｘ−ｙ−ｚ直交座標系は、ｘ方向及びｙ方向が水平方向であり、このうちｘ方向は読み取りユニット２の走査方向であり、スキャナー１の前後方向でもある。また、ｙ方向は読み取りユニット２の延設方向（副走査方向と直交する方向）であり、スキャナー１の左右方向でもある。また、ｚ方向は重力方向であり、装置高さ方向でもある。
【００２２】
以下、スキャナー１の構成について図１及び図２を参照しつつ概説する。スキャナー１は、原稿台ガラス１２を備え、この原稿台ガラス１２の上面が、原稿を載置する原稿載置面１２ａを形成する。原稿台ガラス１２は本実施形態では透明なガラス板である。原稿台ガラス１２の周囲は複数のフレームにより構成されており、これらフレームにより画設された矩形領域が、後述する読み取りユニット２によって読み取りが可能な原稿読み取り領域（原稿載置面１２ａ）となる。
【００２３】
尚、スキャナー１は不図示の開閉可能なカバーを備えており、このカバーが、原稿載置面１２ａを開閉する様に構成されている。またこのカバーには弾性材（例えばスポンジ）により形成された原稿押さえマット（不図示）が設けられており、カバーを閉じた際に、原稿載置面１２ａに載置された原稿が前記原稿押さえマットにより押圧され、その被読み取り面が原稿載置面１２ａに密着するようになっている。
【００２４】
原稿載置面１２ａを画設するフレームは、具体的には右アッパーフレーム７、左アッパーフレーム８、リアフレーム９、上フロントフレーム１０、のこれらにより構成されている。これらフレームは、筐体５に対して取り付けられる。尚、上フロントフレーム１０の下側には、下フロントフレーム１１が筐体５に対して取り付けられる。以上のフレームおよび筐体５は、本実施形態では全て樹脂材料により形成される。
【００２５】
筐体５は箱形の形状を成しており、この筐体５に、読み取りユニット２が設けられている。即ち、本実施形態においてスキャナー１はフラットベッド型のスキャナーであり、原稿台ガラス１２の下側に、読み取りユニット２が原稿台ガラス１２に対して相対的に移動可能に設けられている。読み取りユニット２は、本実施形態ではｘ方向に沿って移動する様に設けられている。
【００２６】
読み取りユニット２は、原稿載置面１２ａに載置された原稿に光を照射し、該原稿からの反射光を受光して原稿の情報を読み取る光学ユニットとして構成され、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式の光学ユニットとして構成される。
【００２７】
続いて筐体５への各部材の取り付け構造、特に右アッパーフレーム７および左アッパーフレーム８の筐体５への取り付け構造（係合手段）について説明する。  
図２において、筐体５への各部材の取り付けは、リアフレーム９、原稿台ガラス１２、下フロントフレーム１１、右アッパーフレーム７および左アッパーフレーム８、上フロントフレーム１０、のこれらの順に行われる。
【００２８】
本実施形態に係るスキャナー１の特徴は、右アッパーフレーム７および左アッパーフレーム８の筐体５への取り付け構造にある。従って以下ではこの取付構造について説明し、他のフレーム（リアフレーム９、下フロントフレーム１１、上フロントフレーム１０）の筐体５への取り付け構造については説明を省略する。尚、これら他のフレームの筐体５への取付は、ねじ固定、嵌め合わせ固定、接着固定など、種々の固定方法を採用することができる。
【００２９】
また、右アッパーフレーム７および左アッパーフレーム８の筐体５への取り付け構造は同じであり、以下では特に左アッパーフレーム８の筐体５への取り付け構造を例にして説明する。  
先ず、左アッパーフレーム８の下側には、第２係合部としての枠体８ａが形成されている。この枠体８ａは、Ｘ方向即ち読み取りユニット２の副走査方向に沿って適宜の間隔で複数形成されている。尚、図２において符号７ａは、右アッパーフレーム７において同様に形成された第２係合部としての枠体を示している。
【００３０】
筐体５の内壁５ａには、図４、図６〜図９に示すように第１係合部としてのフック６が形成されている。フック６は、内壁５ａにおいてＸ方向即ち読み取りユニット２の副走査方向に沿って、適宜の間隔で複数形成されている。フック６は、左アッパーフレーム８に形成された枠体８ａの形成位置に対応する位置に設けられている。
【００３１】
フック６は、図６、図７に示すように内壁５ａから突出する突起状に形成されており、左アッパーフレーム８が筐体５に対し上方から下方（第１方向）に向けて装着される際（図６）、枠体８ａの窓穴８ｂと嵌合し、左アッパーフレーム８を特に上方に外れないように保持する（図８、図９）。
【００３２】
フック６は、図７、図９に示すように上側に第１傾斜部６ａを備えている。第１傾斜部６ａは、枠体８ａが上方から下方に向けてフック６と嵌合する際、枠体８ａとの係合を許容するように形成されている。即ち、枠体８ａが上方から下方に向けてフック６と嵌合する際、引っ掛かりを抑えて円滑に嵌合できる傾斜形状として形成されている。尚、フック６は、枠体８ａが嵌合した後は当該枠体８ａの上方への外れを防止する為、下側はほぼ水平な面で形成されている（図９の面６ｃ）。即ちフック６はフックとして機能し、枠体８ａ即ち左アッパーフレーム８の上方への外れを防止する。
【００３３】
この様にして左アッパーフレーム８（及び右アッパーフレーム７）を筐体５に取り付けた後、上フロントフレーム１０を取り付け、フレームの取り付け完了となる。  
しかしながら装置の組立後にメンテナンスや調整の必要が生じた場合には、原稿台ガラス１２を筐体５から取り外す必要がある。原稿台ガラス１２を筐体５から取り外す為には、左アッパーフレーム８及び右アッパーフレーム７を筐体５から取り外す必要がある。フック６は、筐体５からの左アッパーフレーム８及び右アッパーフレーム７の取り外しを容易にする第２傾斜部を有している。
【００３４】
即ち、フック６は、図７、図１０に示すようにリアフレーム９側（−Ｘ方向側）に第２傾斜部６ｂを備えている。第２傾斜部６ｂは、フック６と枠体８ａとが係合した状態から、筐体５に対し左アッパーフレーム８が上フロントフレーム１０側（＋Ｘ方向側:第２方向）に変位する際に枠体８ａの係合解除を許容する傾斜形状となっている。尚、第２傾斜部６ｂの反対側は、枠体８ａのリアフレーム９側（−Ｘ方向）への移動を拘束する面（符号６ｄ：図１０）として形成されている。
【００３５】
以上の構成により、左アッパーフレーム８（及び右アッパーフレーム７）は、上方から下方に向けて、即ち鉛直下向きの成分を含む第１方向に沿って筐体５に嵌合した後は、上方向への移動は拘束されるが、第１方向と交差する方向である第２方向（本実施例では水平方向（＋Ｘ方向））への移動は許容される。  
従ってスキャナー１の組み立て後に左アッパーフレーム８（及び右アッパーフレーム７）を取り外すには、先ず上フロントフレーム１０を取り外して図３の様な状態とし、この状態から図３の矢印Ａ方向（＋Ｘ方向）に左アッパーフレーム８（および右アッパーフレーム７）をスライドさせると、枠体８ａとフック６との係合が容易に外れ、左アッパーフレーム８（および右アッパーフレーム７）を筐体５から取り外すことができる。図１１は、図１０の状態から枠体８ａが符号８ａ’の位置（移動前）から、破線矢印で示すようにフック６を乗り越えた後の状態を示している。また、図４は、その取り外し後の状態である。
【００３６】
尚、原稿台ガラス１２は、左アッパーフレーム８（及び右アッパーフレーム７）に対し，両面テープ１４（図９）によって固定されている。従って左アッパーフレーム８、右アッパーフレーム７、原稿台ガラス１２、のこれらは、図５に示すようなアッセンブリ体となり、図３に示す状態から当該アッセンブリ体をＡ方向にスライドさせると、一体となって取り外しができるようになっている。
【００３７】
以上説明したように本発明に係るスキャナー１は、原稿を載置する原稿台ガラス１２と、原稿台ガラス１２に載置された原稿を読み取る読み取り手段としての読み取りセンサー２が設けられる筐体５と、筐体５に取り付けられて原稿台ガラス１２の周囲を形成する少なくとも一つのフレームと、を備えている。この少なくとも一つのフレームである左アッパーフレーム８（および右アッパーフレーム７）と筐体５とが係合する係合手段４（図８）は、筐体５に設けられた第１係合部としてのフック６と、左アッパーフレーム８（および右アッパーフレーム７）に設けられた第２係合部としての枠体８ａとを備えて構成されている。
【００３８】
そしてフック６は、筐体５に対し左アッパーフレーム８（および右アッパーフレーム７）が鉛直下向きの成分を含む第１方向に沿って取り付けられる際に枠体８ａとの係合を許容する第１傾斜部６ａと、フック６と枠体８ａとが係合した状態から、筐体５に対し左アッパーフレーム８（および右アッパーフレーム７）が前記第１方向と交差する第２方向に沿って変位する際に枠体８ａの係合解除を許容する第２傾斜部６ｂと、を備える。
【００３９】
前記第１傾斜部６ａにより、筐体５に対し左アッパーフレーム８（および右アッパーフレーム７）が鉛直下向きの成分を含む第１方向に沿って取り付けられる際に、筐体５に対し左アッパーフレーム８（および右アッパーフレーム７）を作業性容易に取り付けることができる。そしてフック６は、筐体５に対し左アッパーフレーム８（および右アッパーフレーム７）が前記第１方向と交差する第２方向に沿って変位する際に枠体８ａの係合解除を許容する第２傾斜部６ｂを備えるので、左アッパーフレーム８（および右アッパーフレーム７）を前記第２方向に沿って変位させることで、筐体５から左アッパーフレーム８（および右アッパーフレーム７）を容易に取り外すことができる。そしてこの様な機能を実現するに際し、ねじ穴等を設ける必要がなく、装置の大型化を抑制できる。
【００４０】
以上の構成は、以下のように機能的に説明できる。即ち左アッパーフレーム８（および右アッパーフレーム７）と筐体５とが係合する係合手段４は、第１係合部としてのフック６と第２係合部としての枠体８ａとを備えており、筐体５に対し左アッパーフレーム８（および右アッパーフレーム７）が鉛直下向きの成分を含む第１方向に沿って取り付けられる際にフック６と枠体８ａとが係合する。そしてフック６と枠体８ａとが係合した状態から、筐体５に対し左アッパーフレーム８（および右アッパーフレーム７）が前記第１方向と交差する第２方向に沿って変位する際にフック６と枠体８ａとの係合が解除される。
【００４１】
また本実施形態において、第1係合部としてのフック６は、第1傾斜部６ａと第２傾斜部６ｂとが形成された突部であり、第２係合部としての枠体８ａは、前記突部としてのフック６が嵌合する窓穴６ｂを有する枠体であるので、前記第１係合部と前記第２係合部とを構造簡単にして低コストに構成できる。
【００４２】
また本実施形態において、係合手段４は、前記第２方向（本実施形態において＋Ｘ方向）に沿って適宜の間隔を置いて複数設けられているので、筐体５に対し左アッパーフレーム８（および右アッパーフレーム７）をより強固に取り付けることができる。
【００４３】
また本実施形態において、原稿台ガラス１２に対し読み取りユニット２の移動方向（Ｘ方向）と交差する方向（Ｙ方向）の両側に位置する、第１フレームとしての左アッパーフレーム８及び第２フレームとしての右アッパーフレーム７とを備え、左アッパーフレーム８および右アッパーフレーム７は、原稿台ガラス１２と一体となって前記第２方向に変位するので、スキャナー１をより作業性容易に分解することができる。
【００４４】
また本実施形態において、読み取りユニット２の移動方向（Ｘ方向）の両側に位置する、第３フレームとしてのリアフレーム９及び第４フレームとしての上フロントフレーム１０を備え、前記第３フレーム及び前記第４フレームの少なくともいずれか（本実施形態では上フロントフレーム１０）を取り外すことで、左アッパーフレーム、右アッパーフレーム７、原稿台ガラス１２、のこれらが一体的に前記第２方向に変位可能となる。即ち換言すれば、上フロントフレーム１０によって、左アッパーフレーム８、右アッパーフレーム７、原稿台ガラス１２、のこれら複数の構成要素が筐体５に対して固定された状態を確実に保持することができる。
【００４５】
以上説明した実施形態は一例であり、本発明が上記実施形態に限定されないことは言うまでもない。例えば、上記実施形態では第１係合部としてのフック６を筐体５に設けると共に、第２係合部としての枠体８ａ（７ａ）を左アッパーフレーム８（右アッパーフレーム７）に設けたが、その逆に第１係合部としてのフック６を左アッパーフレーム８（右アッパーフレーム７）に設けるとともに、第２係合部としての枠体８ａ（７ａ）を筐体５に設けても良い。
【００４６】
また、第２傾斜部６ｂは、本実施形態ではフック６の一方側の面に形成したが、フック６の両側の面に形成しても良い。即ち、図１０において面（垂直面）６ｄにかえて、第１傾斜部６ｂと同様な傾斜部を設け、枠体８ａ（左アッパーフレーム８）を＋Ｘ方向側及び−Ｘ方向側のいずれにも取り外しできるように構成しても良い。
【００４７】
また、第１係合部と第２係合部は図１２に示す様にも構成できる。図１２において符号１８は、上述した左アッパーフレーム８の変形例を示し、符号１８ａは上述した枠体８ａの変形例を示し、符号１６は上述したフック６の変形例を示している。本実施形態においてフック１６は、既に説明したフック６に形成された第１傾斜部６に対応する傾斜部である第１傾斜部１６ａを備えている。従って枠体８ａは、フック１６に対し上方から下方に向かって変位する際、フック１６と係合することができる。図１２（Ａ）はその様に係合した状態を示している。
【００４８】
本実施形態では、フック１６は、上述したフック６に形成された第２傾斜部６ｂを備えていない。しかしながら、枠体１８ａは、ｘ方向の一方側が開放された形状を成している。従って図１２（Ａ）に示す、フック１６と枠体１８ａとの係合状態から、左アッパーフレーム１８を＋ｘ方向（図右方向）に変位させると、図１２（Ｂ）に示す様に枠体１８ａはフック１６との係合を解除することができる。  
この様に第１係合部と第２係合部は、種々の形態を採ることができる。
【符号の説明】
【００４９】
１  スキャナー、２  読み取りユニット、３  操作ボタン、４  係合手段、５  筐体、５ａ  内壁、６  フック（第１係合部）、６ａ  第１傾斜部、６ｂ  第２傾斜部、７  右アッパーフレーム、７ａ  枠体（第２係合部）、８  左アッパーフレーム、８ａ  枠体（第２係合部）、８ｂ  窓穴、９  リアフレーム、１０  上フロントフレーム、１１  下フロントフレーム、１２  原稿台ガラス、１２ａ  原稿載置面、１４  両面テープ
【図１】
0006561434.tif 000002
【図２】
0006561434.tif 000003
【図３】
0006561434.tif 000004
【図４】
0006561434.tif 000005
【図５】
0006561434.tif 000006
【図６】
0006561434.tif 000007
【図７】
0006561434.tif 000008
【図８】
0006561434.tif 000009
【図９】
0006561434.tif 000010
【図１０】
0006561434.tif 000011
【図１１】
0006561434.tif 000012
【図１２】
0006561434.tif 000013